(57)【要約】【課題】本発明は賃貸で壁に傷をつけられないケースでも問題なく取り付けられ、その取り付けには技術を要しないので不器用な人でも取り付け可能である。また、従来多様な構造で取り付けが困難であった、自動車内でも、車種を選ぶことなく取り付けられるので、車内空間をより便利に変えられる。家具の転倒防止においても誰にでも取り付けられるように、しかも家具にネジ釘を使用することなく連結し、あまり目立つことなく体裁よく、その機能を発揮出来るよう工夫した。【解決手段】フレームを２つに分割し、フレームＡにフレームＢが躍動しながら入り込む構成とし、それを駒とボルトによって連絡し、ボルトを締めることによって、連絡し、ボルトを締めることによって、入り込んだ状態から引き離すように作用させると互いに外方向に向うことになり、突っ張る状況を具現することになる。この作用を狭い壁の間につければ棚になり、天井と家具との間で作用させれば、家具の転倒防止具となる。【選択図】図１
2013138818.tif 000002
【特許請求の範囲】
【請求項１】
フレームＡ、フレームＢは摺動自在の関係にあって、フレームＢの一端に駒を取り付け、それにボルトをねじ込み、ボルトはフレームＡの一端に回転自在の状態で位置を保ち、ボルトを締めて引き寄せるとフレームＡとフレームＢは互いに反する方向に動き、突っ張る働きをする突っ張りフレーム。
【請求項２】
請求項１において用いられたボルトによって引き寄せるのでなく、ボルトによって押し出すことで突っ張る働きをする突っ張りフレーム。
【請求項３】
請求項１において用いられたボルトの役割を２本の針金をねじることによって代用させた突っ張りフレーム。
【請求項４】
請求項１において用いられたボルトの役割をコイルスプリングで代用させた突っ張りフレーム。
【請求項５】
請求項１において用いられたボルトの役割をゴムひもで代用させた突っ張りフレーム。
【発明の詳細な説明】
【技術分野】
【０００１】本発明は、広くない壁面間に押し広げることによって固定する棚、及びそれに付属する吊り棚と、家具の転倒防止に使える突っ張りフレームに関するものである。
【背景技術】
【０００２】従来は、壁にネジ等で固定する棚であったり、突っ張り棒で家具の転倒を防ぐものであった。
【先行技術文献】
【特許文献】
【０００３】
【特許文献１】特願２０００−３３６７５７
【特許文献２】特願平１１−３０３７５５
【発明の概要】
【発明が解決しようとする課題】
【０００４】    従来の固定式の棚は、取り付けるのに手間と技術を必要とする。また、賃貸の住宅に居住するものは、壁等に穴等を設ける必要があり、許可されない行為でもある。
次に特許文献として取り上げたトイレの床から立ち上げる棚では構造物は堅牢なものにならざるを得ず、その割には物は少ししか置くことが出来ない。また、床から水分が浸透し、なんとなく汚く感じる。そこで、それらの課題を解消し、世の中の賃貸住宅や集合住宅に住んでいる多くの人達に誰でも簡単に取り付けられる棚を提供しようとするのと、また、家具の転倒防止にも使用可能で、老若男女誰にでも簡単に取り付けられるものを提供し、一人でも尊い人命の犠牲をなくそうとするのが本発明である。
【課題を解決するための手段】
【０００５】本発明は、壁同士の間隔の狭い、トイレ、洗面所、玄関、自動車の車内などに広がり押し付ける力で棚を設置するものである。また、棚の片端か両端に、吊り棚も設置可能な棚であり、天井の間に用いると家具の転倒防止にも使える突っ張りフレームである。
【発明の効果】
【０００６】  本発明は、凸凹のない壁面であっても、ネジ１本を締め付けることにより誰でも簡単に棚が設置出来るものである。しかも壁に損傷を与えることなく設置、撤去が可能なので、賃貸住宅には打ってつけの方法である。また、取り付けが簡単なことから、１メートル前後の壁間の所ならどこでも取り付けられ非常に便利である。特にトイレには、トイレットペーパーの予備を置く棚がどうしても必要であり、多くの人々に歓迎されるものと思われる。
他方、吊り棚もトイレの中で髭を剃る人にはカミソリを、爪を切る人には爪きりを愛煙家にはタバコ、ライター、灰皿を、読書好きの人には本を、あと携帯、ＣＤプレイーヤー、ラジオ持病薬と水、鏡、除菌ティシュ、家計簿と電卓、化粧品等が置けて便利であるし、洗面所に吊り棚があれば、ヘアードライヤー、ヘアーアイロン等、大きい物の収納に、玄関にあれば、ロングブーツを倒れないように支えたり、傘立てを付随させたり、靴ベラを掛けたりと、吊り棚も結構、重宝である。他方、自動車内においては、ティッシュペーパーを逆に固定したり、ぬいぐるみを吊り下げたりその他、タバコ、化粧品など、小物入れの容器を下げると、狭い車内も広く使える感じで便利である。また、家具と天井との間にも附属の受け台を用いると、地震で家具が倒れるのを防いでくれる
【図面の簡単な説明】
【０００７】
【図１】本発明の第１案の斜視図である
【図２】本発明の分解斜視図である
【図３】本発明の第３案の斜視図である
【図４】本発明の第４案の斜視図である
【図５】本発明の第５案の斜視図である
【図６】本発明の一部が異なる斜視図である
【図７】本発明のフレームの、壁や天井に接する部分につけるゴムの斜視図である
【図８】本発明のフレームの、壁や天井に接する部分につけるサンドペーパーの斜視図である
【図９】本発明のフレームの、壁や天井に接する部分につける当て台座の斜視図である
【図１０】本発明の自動車内に用いる場合のフレームＡの斜視図である
【図１１】本発明の自動車内に用いる場合のフレームＡの斜視図である
【図１２】本発明の自動車内に用いる場合のフレームＡの斜視図である
【図１３】本発明に用いる棚板の斜視図である
【図１４】本発明に用いる自動車内用の棚板の斜視図である
【図１５】図１４の裏側を図示したものである
【図１６】本発明をトイレ内に取り付け、吊り棚を配置した実施例の斜視図である
【図１７】吊り棚に用いるフック付き小箱の斜視図である
【図１８】本発明の一部が異なる斜視図である
【図１９】本発明を洗面所で実施した場合の突っ張りフレームと吊り棚との斜視図である
【図２０】本発明の第２案の斜視図である
【図２１】本発明を家具転倒防止として使用する場合の実施例の斜視図である
【図２２】図２１の実施例の側面図である
【図２３】本発明を２組用いた家具転倒防止の実施例の斜視図である
【図２４】図２３の背面からみた図である
【図２５】図２３のロープを用いて固定せず三角材を用いて家具と突っ張りフレームとを固定する場合の斜視図である
【発明を実施するための形態】
【０００８】  以下、本発明の実施の形態について、図面を追いながら詳細に説明すると、図１は突っ張りフレーム全体の斜視図であって、フレームＡ（１）の一部でフレームＢ（２）が入り込んで重なっている部分を切り開き、そこに駒（７）をあてがい、その駒（７）にはナット（９）を埋設する。そしてそのナット（９）に向かってフレームＡ（１）から差し込まれたボルト（３）をねじ込む。すると駒（７）はフレームＢ（２）の方へと移動する。それは、フレームＢ（２）とボルト（３）につながる駒（７）とが連結されているからであってフレームＡ（１）とフレームＢ（２）は互いに外向きに動き、突っ張るような働きとなるので、狭い壁間では棚が設けられ、家具（４２）と天井（４７）との間では、家具（４２）の転倒防止の役割が出来ることになる。
図２は、図１を分解してわかりやすくしたもので継手（５）の増減でフレーム全体の長さを調節するものである。
図３は、図１のボルト（３）の代用を針金（８）でさせるようにしたもので２本の針（８）をねじると短くなることを利用したものである。
図４は、図１のボルト（３）の代用をコイルスプリング（１１）にさせてフレームを突っ張らせたものである。
図５は、図４のコイルスプリング（１１）と同様フック付きゴムひも（１２）でその代用をさせたものである。
図６は、駒（７）とフレーム（２）との連絡法が異なることを図示したものである。
図７は、フレームの両端が壁等に接する場合、滑り落ちにくくするために取り付けるゴム（１５）である。
図８は、サンドペーパー（１６）で、図７同様に摩擦力を高めるためにつけるものである。
図９は、さらに設置面積を大きくして摩擦力を増大させたものである。側面には横手吊り金具（３１）が装着出来る穴（４）が設けてある。
図１０は、自動車内に棚をつけるためのもので、その対策として布張りの車内に針を沢山つけて落ちなくする。その方法は手作り用の方法で画鋲（１８）を粘着テープ（１９）に数多く付けそれをフレームの両端に貼り付けた図である。
図１１は、薄い鉄板に例えば、釘状のもので沢山穴をあけると、その鉄板の裏側には返しが出来、その状態で焼入れをし、はね板状にするとその返しの部分が滑り止めとなり車内の多様な天井の形状に合わせられるものとなる。また一枚であてるより、４枚程に分割すると更に天井の形状に沿えるものとなる。
図１２は、車内天井の布は、あまり丈夫でなさそうなので、半分は両面テープで接着する方が耐用年数が増大するとの思いからである。
図１３は、突っ張りフレームの上に被せる棚板（２３）で、フレームが突っ張った量に合わせて棚板（２３）の長さを加減する必要から、両端は溝（２４）を設けて、やわらかい材料で作った場合は、ハサミで切り硬い材料で作った場合は、溝（２４）の部分で折るよう工夫したものである。
図１４は、自動車内用で、家内用とは反対に表を下方に向けて設置するため、物は格子のサンを利用して吊り下げて保持する方法をとる。その為、フック（２８）が掛けれるように格子が沢山設けてある。
図１５は、図１４の裏側を図示したもので、簡単に設置できるようマジックテープ（６）を設けてある。
図１６は、フレームの両端に当て台座（１７）を配置して、吊り下げ板（３２）や横手吊り金具（３１）を取り付け、多くの物品が置けるようにしたものである。
図１７は、吊り下げ板（３２）に片手で移動出来るよう工夫をしたフック付き小箱（３５）である。
図１８は、図１と異なりフレーム（Ａ）に入っていく部分を丈夫にしたフレームＢ（２）を図示している。
図１９は、吊り棚部分を廃物を利用して、手造りで出来るよう図示したもので小物入れは、ペットボトルを半分にして利用し、パイプは竹（４０）で代用したものである。
図２０は、フレームの両方を丈夫にしたもので、大きい負荷が瞬間的にかかる家具（４２）の転倒防止用に考案したものである。
図２１は、家具（４２）に取り付けた実施例であるが、フレーム受け台（４３）はばね板状とし、地震での衡撃をソフトに受けとめることにより家具（４２）からフレームがはずれてしまわないようにして、台の合板（４４）は、両面テープ（２２）か、木工ボンドで家具（４２）に固定する。合板（４４）とフレーム受け台（４３）はネジ（２９）で固定する。
図２２は、図２１を側面から見たもので突っ張りフレーム（１）が背面に僅かばかり傾斜させフレームＢ（２）が天井（４７）と壁との交わる丈夫な部分に当たるように配慮した。
図２３は、突っ張りフレームを２組利用して、より確率性を高め丈夫にしたものである。
図２４は、図２３を背面より見たもので、フレーム２組を合わせた頂部にはクッション材（４５）を配置し２組のフレームを引き寄せるには、ワイヤーロープ（２７）と引き寄せ金具（４６）でやることによってロープも、少しは衡撃暖和に役立つ方式とした。
図２５は、図２４よりコストを低減させるためにとった方法で、家具（４２）に三角材（４８）を木工ボンドで接着し、誰にでも設定できるようにもしたものである。
【符号の説明】
【０００９】１  フレームＡ            １７  当て台座              ３３  トイレットペパー
２  フレームＢ            １８  画鋲                  ３４  小物入れ箱
３  ボルト                １９  粘着テープ            ３６  フック付き小箱
４  穴                    ２０  鋼鉄板                ３６  掛け穴
５  継手                  ２１  釘穴                  ３７  半切りペットボトル
６  マジックテープ        ２２  両面テープ            ３８  ひも
７  駒                    ２３  棚板                  ３９  結び目
８  針金                  ２４  溝                    ４０  竹
９  ナット                ２５  車内用棚板            ４１  ネジ受け金具
１０  鉄棒                ２６  リベット              ４２  家具
１１  コイルスプリング    ２７  ワイヤーロープ        ４８  フレーム受け台
１２  フック付ゴムひも    ２８  フック                ４４  合板
１８  切り欠き            ２９  ネジ                  ４５  クッション材
１４  粒状突起            ３０  花瓶                  ４６  引き寄せ金具
１５  ゴム                ３１  横手吊り金具          ４７  天井
１６  サンドペーパー      ３２  吊り下げ板            ４８  三角材
【図１】
2013138818.tif 000003
【図２】
2013138818.tif 000004
【図３】
2013138818.tif 000005
【図４】
2013138818.tif 000006
【図５】
2013138818.tif 000007
【図６】
2013138818.tif 000008
【図７】
2013138818.tif 000009
【図８】
2013138818.tif 000010
【図９】
2013138818.tif 000011
【図１０】
2013138818.tif 000012
【図１１】
2013138818.tif 000013
【図１２】
2013138818.tif 000014
【図１３】
2013138818.tif 000015
【図１４】
2013138818.tif 000016
【図１５】
2013138818.tif 000017
【図１６】
2013138818.tif 000018
【図１７】
2013138818.tif 000019
【図１８】
2013138818.tif 000020
【図１９】
2013138818.tif 000021
【図２０】
2013138818.tif 000022
【図２１】
2013138818.tif 000023
【図２２】
2013138818.tif 000024
【図２３】
2013138818.tif 000025
【図２４】
2013138818.tif 000026
【図２５】
2013138818.tif 000027